(57)【要約】【課題】  形状が類似したパッキンの組付け作業時の混乱や誤組み付けの発生を防止して組立性の向上を実現することのできるスピーカ装置を提供する。【解決手段】  スピーカ装置21は、スピーカユニット10が取付けられたバッフル３にネジ止めされるキャビネット５と、バッフル３の突き合わせ部に突設された複数のネジ穴ボス21a〜21e,22a〜22eと、突き合わせ部をシールする一対の遮音パッキン23,25とを備える。複数のネジ穴ボス21a〜21eにおける所定箇所のネジ穴ボス21cの外周面には、他の箇所のネジ穴ボス21a,21b,21d,21eと異なる横断面形状を形成する一対の突部29,29が設けられており、適正な向きで組み付けた時にのみ所定箇所のネジ穴ボス21cに対応する遮音パッキン23の特定箇所の取付穴23cが、所定箇所の取付ボス21cを挿通可能とする一対の切欠き溝27,27を備えた開口形状とされている。【選択図】  図５
2005260604.tif 000002
【特許請求の範囲】
【請求項１】
スピーカユニットが取付けられたバッフルと、前記スピーカユニットの背面側を覆って前記バッフルに取付固定されるキャビネットと、前記バッフルと前記キャビネットとの突き合わせ部における何れか一方に突設された複数の取付ボスと、前記突き合わせ部に挟装されて該突き合わせ部をシールするパッキンと、を備えたスピーカ装置であって、
前記複数の取付ボスにおける所定箇所の取付ボスの外周面には、他の箇所の取付ボスと異なる横断面形状を形成する突部が設けられており、
適正な向きで組み付けた時にのみ前記所定箇所の取付ボスに対応する前記パッキンの特定箇所の取付穴が、前記所定箇所の取付ボスを挿通可能とする開口形状とされていることを特徴とするスピーカ装置。
【請求項２】
前記突き合わせ部が長方形状の枠型に形成されると共に、前記パッキンが略Ｌ字状の外郭形状を有する一対のパッキンから成り、一方のパッキンにのみ前記特定箇所の取付穴が設けられていることを特徴とする請求項１に記載のスピーカ装置。
【請求項３】
前記突部が、前記所定箇所の取付ボスの軸線に沿って外周面に延設されたリブ突起から成ることを特徴とする請求項１又は２に記載のスピーカ装置。
【発明の詳細な説明】
【技術分野】
【０００１】
本発明は、スピーカ装置に関する。
【背景技術】
【０００２】
従来より、スピーカユニットが取付けられたバッフルと、前記スピーカユニットの背面側を覆って該バッフルにネジ止めされるキャビネットと、を備えた各種のスピーカ装置が用いられている（例えば、特許文献１参照）。
更に、これらバッフルとキャビネットとの突き合わせ部をシールするパッキンを備えたスピーカ装置も知られている。
【０００３】
例えば、図１及び図２に示したスピーカ装置１は、スピーカユニット１０が取付けられたバッフル３と、スピーカユニット１０の背面側であるバッフル３の開放部を覆って該バッフル３にネジ止めされるキャビネット５と、これらバッフル３とキャビネット５との突き合わせ部におけるバッフル３に突設された複数のネジ穴ボス（取付ボス）１１ａ〜１１ｅ，１２ａ〜１２ｅと、前記突き合わせ部に挟装されて該突き合わせ部をシールする遮音パッキン７，８と、を備えたボックス・ウーファーである。
【０００４】
ところで、上述の如きバッフル３とキャビネット５との突き合わせ部におけるシール領域は長方形状の枠型となるが、一般にパッキンはシート状のパッキン素材より所定形状に打ち抜かれて形成されるので、パッキンを枠型に打ち抜いた際にはパッキン素材の歩留りが悪くなると共に成形型が大型化し、パッキンの生産コストが高くなってしまう。
そこで、図１に示したように、長方形状の枠型であるシール領域を２つのＬ字形状の類似シール領域Ａ，Ｂに分割し、これに対応して略Ｌ字状の外郭形状を有する一対の遮音パッキン７，８を用意することで、コスト低減を図っている。
【０００５】
また、バッフル３に突設される複数の円筒状のネジ穴ボス１１ａ〜１１ｅ，１２ａ〜１２ｅは、ネジ止めされるキャビネット５の取付け方向を特定する為、敢えて互いに非対称に配置されることも少なくない。
例えば、図３に示したように、遮音パッキン７，８が載置されるバッフル３の開口縁上の二つの類似シール領域Ａ，Ｂにおいては、大半のネジ穴ボス１１ａ，１１ｂ，１１ｃ，１２ａ，１２ｂ，１２ｃの突設位置が、これらの二つの類似シール領域Ａ，Ｂで互いに点対称となる配置になっている。
【０００６】
しかしながら、キャビネット５の取付け方向を特定する為に、一方の長辺上のネジ穴ボス１１ｄ，１１ｅ間の間隔Ｗａと、他方の長辺上のネジ穴ボス１２ｄ，１２ｅ間の間隔Ｗｂとが相違しており、その結果二つの類似シール領域Ａ，Ｂ間でのネジ穴ボス１１ｄ，１１ｅとネジ穴ボス１２ｄ，１２ｅの突設位置が、互いに非対称な配置になっている。
【０００７】
一方、各遮音パッキン７，８に形成される取付穴７ａ〜７ｆ，８ａ〜８ｆは、挿通されるネジ穴ボス１１ａ〜１１ｅ，１２ａ〜１２ｅの横断面形状に応じて設定された円形の穴であり、上述のような一方の長辺上のネジ穴ボス１１ｄ，１１ｅと他方の長辺上のネジ穴ボス１２ｄ，１２ｅとの突設位置の相違に対しては、遮音パッキン７の取付穴７ｄ，７ｅ間の間隔と遮音パッキン８の取付穴８ｄ，８ｅ間の間隔とをそれぞれ前記間隔Ｗａと前記間隔Ｗｂとに合わせて相違させることで対応していた。
【０００８】
【特許文献１】特開２００３−２８９５９２号号公報
【発明の開示】
【発明が解決しようとする課題】
【０００９】
ところで、上述のようにバッフル３の開口縁上の二つの類似シール領域Ａ，Ｂ毎にそれぞれ専用の遮音パッキン７，８を載置する場合、各遮音パッキン７，８の取付向きを示した組立指示書等で、作業者へ指示している。
しかしながら、遮音パッキン７，８は、外観が似ているため視認だけでは簡単に識別することができず、各遮音パッキン７，８を異なる類似シール領域Ａ，Ｂに取付けようとしたり、図４に示すように、各遮音パッキン７，８を表裏反転させた誤った向きで取り付けることが無いように取り扱いに注意が必要となり、スピーカ装置１の組立性の低下を招くという問題が一例として挙げられる。
【課題を解決するための手段】
【００１０】
請求項１に記載の発明は、スピーカユニットが取付けられたバッフルと、前記スピーカユニットの背面側を覆って前記バッフルに取付固定されるキャビネットと、前記バッフルと前記キャビネットとの突き合わせ部における何れか一方に突設された複数の取付ボスと、前記突き合わせ部に挟装されて該突き合わせ部をシールするパッキンと、を備えたスピーカ装置であって、前記複数の取付ボスにおける所定箇所の取付ボスの外周面には、他の箇所の取付ボスと異なる横断面形状を形成する突部が設けられており、適正な向きで組み付けた時にのみ前記所定箇所の取付ボスに対応する前記パッキンの取付穴が、前記所定箇所の取付ボスを挿通可能とする開口形状とされていることを特徴とする。
【発明を実施するための最良の形態】
【００１１】
本発明に係わるスピーカ装置の実施の形態について説明する。
本発明のスピーカ装置は、スピーカユニットが取付けられたバッフルと、前記スピーカユニットの背面側を覆って前記バッフルに取付固定されるキャビネットと、前記バッフルと前記キャビネットとの突き合わせ部における何れか一方に突設された複数の取付ボスと、前記突き合わせ部に挟装されて該突き合わせ部をシールするパッキンと、を備えたスピーカ装置であり、前記複数の取付ボスにおける所定箇所の取付ボスの外周面には、他の箇所の取付ボスと異なる横断面形状を形成する突部が設けられており、適正な向きで組み付けた時にのみ前記所定箇所の取付ボスに対応する前記パッキンの特定箇所の取付穴が、前記所定箇所の取付ボスを挿通可能とする開口形状とされている。
【００１２】
即ち、バッフルとキャビネットとの突き合わせ部をシールするパッキンは、それぞれの取付穴を複数の取付ボスに挿通させる際、外周面に突部が設けられた所定箇所の取付ボスに対応する特定箇所の取付穴を前記所定箇所の取付ボスに挿通させれば、間違いなく適正な向きで組み付けることができ、パッキンの表裏を間違えた誤組付けや、装着すべきシール領域を間違える誤組付けの何れも防止することができる。
【００１３】
尚、パッキンの表裏の誤認防止は、突き合わせ部をシールするパッキンを単一で構成するような場合でも、有効である。
また、大きさや形状が類似した複数のパッキンで突き合わせ部をシールする場合には、パッキン相互の特定箇所の取付穴の位置の相違等を目視確認することにより、容易かつ確実に各パッキンの差異を識別することができる。
従って、形状が類似したパッキンの組付け作業時の混乱や誤組み付けの発生を防止して、スピーカ装置の組立性の向上を実現することができる
【００１４】
更に、前記突き合わせ部が長方形状に形成されると共に、前記パッキンが略Ｌ字状の外郭形状を有する一対のパッキンから成り、一方のパッキンにのみ前記特定箇所の取付穴が設けられていることにより、類似形状の各パッキンをシート状のパッキン素材より打ち抜き形成する際の歩留りが向上すると共に成形型が小型化し、パッキンの生産コストを低減できる。
又、前記突部が、前記所定箇所の取付ボスの軸線に沿って外周面に延設されたリブ突起から成ることにより、成形金型の僅かな修正によって所定箇所の取付ボスの外周面に前記突部を設けることができる。
【実施例】
【００１５】
以下、本発明の一実施例に係るスピーカ装置について、図面を参照して詳細に説明する。
図５は本発明の一実施例に係るスピーカ装置の分解斜視図であり、図６は図５に示したスピーカ装置の要部拡大図であり、図７は図５に示したバッフルに遮音パッキンを載置した状態を示す平面図である。
【００１６】
本実施例のスピーカ装置２１は、図５に示すように、スピーカユニット１０が取付けられたバッフル２８と、スピーカユニット１０の背面側であるバッフル２８の開放部を覆って該バッフル２８にネジ止めされるキャビネット５と、これらバッフル２８とキャビネット５との突き合わせ部におけるバッフル２８に突設された複数のネジ穴ボス（取付ボス）２１ａ〜２１ｅ，２２ａ〜２２ｅと、前記突き合わせ部に挟装されて該突き合わせ部をシールする一対の遮音パッキン（パッキン）２３，２５と、を備えたボックス・ウーファーである。
【００１７】
そして、図５及び図７に示したように、一対の遮音パッキン２３，２５が載置されるバッフル２８の開口縁上の二つの類似シール領域Ａ，Ｂにおいては、大半のネジ穴ボス２１ａ，２１ｂ，２１ｃ，２２ａ，２２ｂ，２２ｃの突設位置が、これらの二つの類似シール領域Ａ，Ｂで互いに点対称となる配置になっている。
【００１８】
しかしながら、キャビネット５の取付け方向を特定する為に、一方の長辺上のネジ穴ボス２１ｄ，２１ｅ間の間隔Ｗａと、他方の長辺上のネジ穴ボス２２ｄ，２２ｅ間の間隔Ｗｂとが相違しており、これら一部のネジ穴ボス２１ｄ，２１ｅ及びネジ穴ボス２２ｄ，２２ｅの突設位置のみが僅かにずれている。その結果、二つの類似シール領域Ａ，Ｂ間でのネジ穴ボス２１ｄ，２１ｅとネジ穴ボス２２ｄ，２２ｅの突設位置は、互いに非対称な配置になっている。
【００１９】
更に、前記複数のネジ穴ボス２１ａ〜２１ｅ，２２ａ〜２２ｅにおける所定箇所のネジ穴ボス２１ｃの外周面には、図６に示すように、他の箇所の円筒状のネジ穴ボス２１ａ，２１ｂ，２１ｄ，２１ｅ，２２ａ，２２ｂ，２２ｃ，２２ｄ，２２ｅと異なる横断面形状を形成する一対の突部２９，２９が設けられている。
ここで、本実施例における各突部２９は、前記所定箇所のネジ穴ボス２１ｃの軸線に沿って外周面に延設されたリブ突起から成る。そこで、成形金型の僅かな修正によって所定箇所の取付ボス２１ｃの外周面に前記突部２９を設けることができる。
【００２０】
前記遮音パッキン２３，２５は、長方形状の枠型であるシール領域を２つに分割したＬ字形状の類似シール領域Ａ，Ｂに対応して、略Ｌ字状の外郭形状をそれぞれ有している。そこで、遮音パッキン２３，２５をシート状のパッキン素材より打ち抜き形成する際の歩留りが向上すると共に成形型が小型化し、パッキンの生産コストを低減できる。
【００２１】
そして、類似シール領域Ａに使用する遮音パッキン２３に形成される取付穴２３ａ，２３ｂ，２３ｄ，２３ｅ，２３ｆは、挿通されるネジ穴ボス２１ａ，２１ｂ，２１ｄ，２１ｅ，２２ａの横断面形状に応じて設定された円形の穴である。
また、適正な向きで組み付けた時にのみ前記所定箇所のネジ穴ボス２１ｃに対応する前記遮音パッキン２３の特定箇所の取付穴２３ｃは、一対の前記突部２９，２９が外周面に突設された前記ネジ穴ボス２１ｃを挿通可能とする開口形状とされており、円形の穴の周縁に一対の切欠き溝２７，２７が形成されている。
【００２２】
一方、類似シール領域Ｂに使用する遮音パッキン２５に形成される取付穴２５ａ〜２５ｆは、挿通されるネジ穴ボス２２ａ〜２２ｅ，２１ａの横断面形状に応じて設定された円形の穴である。
そして、図７に示したように、上述のような一方の長辺上のネジ穴ボス２１ｄ，２１ｅと他方の長辺上のネジ穴ボス２２ｄ，２２ｅとの突設位置の相違に対しては、遮音パッキン２３の取付穴２３ｄ，２３ｅ間の間隔と遮音パッキン２５の取付穴２５ｄ，２５ｅ間の間隔とをそれぞれ前記間隔Ｗａと前記間隔Ｗｂとに合わせて相違させることで対応している。
【００２３】
以上に説明した本実施例のスピーカ装置２１によれば、バッフル２８とキャビネット５との突き合わせ部に挟装されて該突き合わせ部をシールする一対の遮音パッキン２３，２５は、それぞれの取付穴２３ａ〜２３ｆ，２５ａ〜２５ｆを複数のネジ穴ボス２１ａ〜２１ｅ，２２ａ〜２２ｅに挿通させる際、外周面に一対の突部２９，２９が設けられた所定箇所のネジ穴ボス２１ｃに対応する特定箇所の取付穴２３ｃを前記所定箇所のネジ穴ボス２１ｃに挿通させれば、図７に示したように間違いなく適正な向きで組み付けることができ、遮音パッキン２３，２５の表裏を間違えた誤組付けや、装着すべき類似シール領域Ａ，Ｂを間違える誤組付けの何れも防止することができる。
【００２４】
即ち、例えば前記遮音パッキン２３，２５をそれぞれ類似シール領域Ａ，Ｂに対して表裏反対に組み付けようとしても、前記遮音パッキン２３の取付穴２３ｆ及び前記遮音パッキン２５の取付穴２５ａは、それぞれ一対の突部２９，２９に干渉してネジ穴ボス２１ｃに挿通させることができない。
更に、前記遮音パッキン２３を類似シール領域Ｂに対して組み付けようとしても、取付穴２３ｄ，２３ｅ間の間隔がネジ穴ボス２２ｄ，２２ｅ間の間隔Ｗｂよりも狭いので組み付けることができない。
【００２５】
又、前記遮音パッキン２５を類似シール領域Ａに対して組み付けようとしても、取付穴２５ｄ，２５ｅ間の間隔がネジ穴ボス２１ｄ，２１ｅ間の間隔Ｗａよりも広いので組み付けることができない。
そこで、略Ｌ字状に形成された遮音パッキン２３，２５は、大きさや形状が類似しているにも関わらず、それぞれ屈曲部における取付穴２３ｃ，２５ｃが切欠き溝２７，２７を備えているか否かを目視確認することにより、容易かつ確実に各遮音パッキン２３，２５の差異を識別することができる。
【００２６】
また、前記所定箇所のネジ穴ボス２１ｃは、前記遮音パッキン２３を適正な向きで組み付けた時にのみ対応する特定箇所の取付穴２３ｃだけを挿通可能としており、他の箇所の取付穴２３ａ，２３ｆや、前記遮音パッキン２５の取付穴２５ａ，２５ｃ，２５ｆ等を挿通することはできない。
従って、形状が類似した遮音パッキン２３，２５の組付け作業時の混乱や誤組み付けの発生を防止して、スピーカ装置２１の組立性の向上を実現することができる。
【００２７】
尚、本発明のスピーカ装置におけるスピーカユニット、バッフル、キャビネット、取付ボス及びパッキン等の構成は、上記実施例のスピーカ装置２１の構成に限定されるものではなく、本発明の趣旨に基づいて種々の形態を採りうることは勿論である。
上記実施例のスピーカ装置２１では、長方形状の枠型であるシール領域をＬ字形状の類似シール領域Ａ，Ｂの２つに分割したが、本発明はこれに限定されるものではない。
【００２８】
例えば、バッフル２８とキャビネット５との突き合わせ部の大きさによっては、長方形状の枠型のシール領域を各辺毎に４つに分割し、４種の遮音パッキンにより突き合わせ部をシールする構成も考えられる。
この場合、各辺毎の類似シール領域には、他の箇所の円筒状のネジ穴ボスと異なる横断面形状を備えたネジ穴ボスを所定箇所に設けると共に各所定箇所のネジ穴ボスの横断面形状を相違させるなどし、且つ、各遮音パッキンには各所定箇所のネジ穴ボスに対応した開口形状を備えた特定箇所の取付穴を設ける。
【００２９】
又、適正な向きで組み付けた時にのみ所定箇所の取付ボスに対応する特定箇所の取付穴を有する本発明のパッキンとしては、長方形状の枠型に形成した遮音パッキンを除外するものではなく、シート状のパッキン素材より打ち抜き形成する際の歩留りが悪くなる点を除いては、上述した遮音パッキン２３，２５と略同様にパッキンの表裏の誤認防止に有効である。
【００３０】
更に、上記実施例スピーカ装置２１では、一部のネジ穴ボス２１ｄ，２１ｅ及びネジ穴ボス２２ｄ，２２ｅの突設位置のみが僅かにずれている２つの類似シール領域Ａ，Ｂが同一バッフル２８上に存在する場合を示したが、ステレオスピーカ等のように、左右のスピーカ装置の異なるバッフル上に複数の類似シール領域が存在するような場合にも応用可能である。
又、バッフル２８にキャビネット５をネジ止めする為のネジ穴ボス２１ａ〜２１ｅ，２２ａ〜２２ｅに換えて、バッフル２８に取付ボスである溶着ボスを突設し、バッフル２８とキャビネット５を熱溶着により取付固定することもできる。
【図面の簡単な説明】
【００３１】
【図１】従来のスピーカ装置の分解斜視図である。
【図２】図１に示したスピーカ装置の組立斜視図である。
【図３】図１に示したバッフルに遮音パッキンを載置した状態を示す平面図である。
【図４】図１に示したバッフルに遮音パッキンを誤って載置しようとした状態を示す分解斜視図である。
【図５】本発明の一実施例に係るスピーカ装置の分解斜視図である。
【図６】図５に示したスピーカ装置の要部拡大図である。
【図７】図５に示したバッフルに遮音パッキンを載置した状態を示す平面図である。
【符号の説明】
【００３２】
２８  バッフル
５  キャビネット
１０  スピーカユニット
２１ａ〜２１ｅ  ネジ穴ボス（取付ボス）
２１ｃ  所定箇所のネジ穴ボス（所定箇所の取付ボス）
２２ａ〜２２ｅ  ネジ穴ボス（取付ボス）
２３  遮音パッキン（パッキン）
２３ａ〜２３ｆ  取付穴
２３ｃ  特定箇所の取付穴
２５  遮音パッキン（パッキン）
２５ａ〜２５ｆ  取付穴
２７  切欠き溝
２９  突部
Ａ，Ｂ  類似シール領域
【図１】
2005260604.tif 000003
【図２】
2005260604.tif 000004
【図３】
2005260604.tif 000005
【図４】
2005260604.tif 000006
【図５】
2005260604.tif 000007
【図６】
2005260604.tif 000008
【図７】
2005260604.tif 000009